(57)【要約】【課題】外観デザインの変更に伴う設計の手間を低減することが可能な遊技機を提供する。【解決手段】本発明のパチンコ遊技機１０では、中継部材６３が回動支持盤６０の鉛直平坦面一面６０Ａと平行な２次元平面内で僅かに配置変更しただけであれば、その配置変更の前後で旋回部６３Ｄと受圧移動部６４Ｃの間の力の伝達状態は変わらない。また、力の伝達状態が変わった場合には、旋回部６３Ｄと受圧移動部６４Ｃとのうち少なくとも一方の長さ・形状を変更するだけで、中継部材６３の配置変更前の状態と力の伝達状態を同等にすることができる。このように、本発明によれば、前面カバー４２Ａの形状変更に合わせて中継部材６３及び開閉部材６２の配置変更・形状変更を容易に行うことができ、外観デザインの変更に伴う設計の手間を低減することが可能となる。【選択図】図１７
2007229185.tif 000002
【特許請求の範囲】
【請求項１】
ベース壁と、
前記ベース壁から突出し、遊技媒体を貯留可能な容器状の貯留槽と、
前記貯留槽から遊技媒体を排出するための排出口と、
前記ベース壁を覆いかつ前記ベース壁との間に機構部収容空間を形成する前面カバーと、
前記前面カバーを内外に貫通し、前記前面カバーに直動可能に支持された操作部材と、
前記機構部収容空間に収容され、前記操作部材に連動して、前記排出口を閉鎖する閉鎖位置と、前記排出口を開放する開放位置との間で往復動する開閉部材と、
前記ベース壁から前方に突出した第１回動支持突部に回動可能に軸支されて前記機構部収容空間に収容され、前記操作部材と前記開閉部材との間で力を伝達する中継部材とを備え、
前記中継部材の回動軸を、前記ベース壁と平行にし、
前記中継部材には、前記ベース壁と対向した状態で旋回可能な旋回部が形成され、前記開閉部材には、前記ベース壁と対向しかつ前記旋回部の移動に伴い移動可能な受圧移動部が形成されたことを特徴とする遊技機。
【請求項２】
前記開閉部材は、前記ベース壁から前方に突出した第２回動支持突部に回動可能に軸支され、前記中継部材の回動軸の軸線方向と前記開閉部材の回動軸の軸線方向とが互いに異なることを特徴する請求項１に記載の遊技機。
【請求項３】
前記ベース壁は、前記ベース壁の本体部分と別部品であって前記ベース壁の本体部分に取り付けられた回動支持盤を備え、
前記第１及び第２の回動支持突部を共に前記回動支持盤に設けたことを特徴とする請求項２に記載の遊技機。
【請求項４】
前記開閉部材は、回動軸から前記受圧移動部と異なる方向に突出して旋回し、前記排出口を開閉するシャッタ部を備え、
前記中継部材は、回動軸から前記旋回部と異なる方向に突出し、前記操作部材と当接して前記操作部材から前記中継部材を回動するための押圧力を受ける操作力受部を備えたことを特徴とする請求項２又は３に記載の遊技機。
【請求項５】
前記操作部材は、前記前面カバーの上面を貫通して直動可能に保持され、
前記中継部材の回動軸は、横方向に延ばされると共に、前記操作部材の直動方向と直交し、
前記開閉部材の回動軸は、前記貯留槽と前記中継部材との間に配置されて上下方向に延びたことを特徴とする請求項２乃至４の何れかに記載の遊技機。
【請求項６】
前記前面カバーと前記操作部材との間には、前記操作部材を直動可能に保持した保持ケースが備えられ、前記操作部材が押される度にその操作部材を直動可能な範囲の一端側位置と他端側位置とに交互に保持する交互保持機構を設けたことを特徴とする請求項１乃至５の何れかに記載の遊技機。
【請求項７】
前記開閉部材を前記閉鎖位置と前記開放位置との何れかに付勢する弾性部材を備えたことを特徴とする請求項１乃至６の何れかに記載の遊技機。
【発明の詳細な説明】
【技術分野】
【０００１】
本発明は、遊技媒体を貯留可能な貯留槽を備え、その貯留槽の排出口を開閉操作可能な遊技機に関する。
【背景技術】
【０００２】
この種の従来の遊技機として、外観を構成する前面カバーに操作部材が組み付けられ、その操作部材を操作すると、前面カバー内で中継部材及び開閉部材が作動して貯留槽の排出口を開閉するものが知られている（例えば、特許文献１参照）。
【特許文献１】特開２００３−１１１９４０号公報（第４図、第９図）
【発明の開示】
【発明が解決しようとする課題】
【０００３】
ところで、遊技機を設置した遊技場では、遊技者に新鮮みを与えるために、適宜、遊技機の入れ替えが行われ、これに応じるために各遊技機メーカーは、新機種開発を行う。その開発項目の一つとして外観デザインの変更も重要になる。その外観デザインの変更の手間がかからないようにするためには、遊技機の外観に係る前面カバーの形状変更の設計に重点をおき、前面カバーの内側部分等の設計時間を抑える必要がある。
【０００４】
しかしながら、上記した従来の遊技機では、前面カバーの形状変更に伴って操作部材の配置等が変わった際に、中継部材又は開閉部材の配置変更・形状変更等の設計に手間がかかる虞があった。
【０００５】
本発明は、上記事情に鑑みてなされたもので、外観デザインの変更等に伴う設計の手間を低減することが可能な遊技機の提供を目的とする。
【課題を解決するための手段】
【０００６】
上記目的を達成するためになされた請求項１の発明に係る遊技機は、ベース壁と、ベース壁から突出し、遊技媒体を貯留可能な容器状の貯留槽と、貯留槽から遊技媒体を排出するための排出口と、ベース壁を覆いかつベース壁との間に機構部収容空間を形成する前面カバーと、前面カバーを内外に貫通し、前面カバーに直動可能に支持された操作部材と、機構部収容空間に収容され、操作部材に連動して、排出口を閉鎖する閉鎖位置と、排出口を開放する開放位置との間で往復動する開閉部材と、ベース壁から前方に突出した第１回動支持突部に回動可能に軸支されて機構部収容空間に収容され、操作部材と開閉部材との間で力を伝達する中継部材とを備え、中継部材の回動軸を、ベース壁と平行にし、中継部材には、ベース壁と対向した状態で旋回可能な旋回部が形成され、開閉部材には、ベース壁と対向しかつ旋回部の移動に伴い移動可能な受圧移動部が形成されたところに特徴を有する。
【０００７】
請求項２の発明は、請求項１に記載の遊技機において、開閉部材は、ベース壁から前方に突出した第２回動支持突部に回動可能に軸支され、中継部材の回動軸の軸線方向と開閉部材の回動軸の軸線方向とが互いに異なるところに特徴を有する。
【０００８】
請求項３の発明は、請求項２に記載の遊技機において、ベース壁は、ベース壁の本体部分と別部品であってベース壁の本体部分に取り付けられた回動支持盤を備え、第１及び第２の回動支持突部を共に回動支持盤に設けたところに特徴を有する。
【０００９】
請求項４の発明は、請求項２又は３に記載の遊技機において、開閉部材は、回動軸から受圧移動部と異なる方向に突出して旋回し、排出口を開閉するシャッタ部を備え、中継部材は、回動軸から旋回部と異なる方向に突出し、操作部材と当接して操作部材から中継部材を回動するための押圧力を受ける操作力受部を備えたところに特徴を有する。
【００１０】
請求項５の発明は、請求項２乃至４の何れかに記載の遊技機において、操作部材は、前面カバーの上面を貫通して直動可能に保持され、中継部材の回動軸は、横方向に延ばされると共に、操作部材の直動方向と直交し、開閉部材の回動軸は、貯留槽と中継部材との間に配置されて上下方向に延びたところに特徴を有する。
【００１１】
請求項６の発明は、請求項１乃至５の何れかに記載の遊技機において、前面カバーと操作部材との間には、操作部材を直動可能に保持した保持ケースが備えられ、操作部材が押される度にその操作部材を直動可能な範囲の一端側位置と他端側位置とに交互に保持する交互保持機構を設けたところに特徴を有する。
【００１２】
請求項７の発明は、請求項１乃至６の何れかに記載の遊技機において、開閉部材を閉鎖位置と開放位置との何れかに付勢する弾性部材を備えたところに特徴を有する。
【発明の効果】
【００１３】
［請求項１の発明］
請求項１の遊技機の外観デザインを変更するために前面カバーの形状が変更されると、それに伴って操作部材の配置が変更される。そして、操作部材の配置の変更によって操作部材と中継部材との間で力を良好に伝達することができなくなる場合には、中継部材をベース壁と平行な２次元平面内で上下左右に平行移動又は回転させる配置変更を行う。ここで、本発明では、中継部材にベース壁と対向した状態で旋回可能な旋回部を設けると共に、開閉部材にベース壁と対向した状態で移動可能な受圧移動部を設けて、これら旋回部と受圧移動部との間で力を伝達するように構成した。これにより、中継部材がベース壁と平行な２次元平面内で僅かに配置変更（平行移動又は回動）しただけであれば、その配置変更の前後で旋回部と受圧移動部との間の力の伝達状態は変わらない。また、力の伝達状態が変わった場合には、旋回部と受圧移動部との一方の長さ・形状を変更するだけで、中継部材の配置変更前の状態と力の伝達状態を同等にすることができる。このように、本発明の遊技機によれば、前面カバーの形状変更に合わせて中継部材及び開閉部材の配置変更・形状変更等を容易に行うことができ、外観デザインの変更等に伴う設計の手間を低減することが可能となる。
【００１４】
［請求項２の発明］
請求項２の構成によれば、開閉部材がベース壁から前方に突出した第２回動支持突部に回動可能に軸支されているので、受圧移動部が旋回部に押されると開閉部材が回動することが可能である。中継部材の回動軸の軸線方向と開閉部材の回動軸の軸線方向とが互いに異なるため、操作部材と開閉部材の位置関係を多様化することが可能である。
【００１５】
［請求項３の発明］
請求項３の構成によれば、ベース壁に取り付けられた回動支持盤をベース壁の本体部分と別部品にしたので、中継部材及び開閉部材の設計変更等がある場合でも、新規に製造した回動支持盤を旧機種の回動支持盤に代えてベース壁の本体部分に取り付ければよい。これにより、ベース壁の本体部分等を流用することできる。
【００１６】
［請求項４の発明］
請求項４の構成によれば、操作部材を押圧操作すると、中継部材の操作力受部が操作部材によって押されて中継部材が回動する。すると、中継部材の旋回部が開閉部材の受圧回動部を押して開閉部材が回動して開閉部材のシャッタ部が旋回し、排出口を開閉することができる。
【００１７】
［請求項５の発明］
請求項５の構成によれば、前面カバーの上面の左右方向で傾けるデザイン変更がされた場合に、その傾けられた角度分だけ、中継部材の回動軸も左右方向で傾けられるように第１回動支持突部を回動させればよい。これにより、操作部材と中継部材との当接状態を、前面カバーのデザイン変更の前後で略同じ状態にすることができる。
【００１８】
［請求項６の発明］
請求項６の構成によれば、操作部材が交互保持機構により直動可能な範囲の一端側位置と他端側位置とに保持され、これにより、排出口を開放状態と閉鎖状態とに保持することができる。
【００１９】
［請求項７の発明］
請求項７の構成によれば、操作部材の操作を行っていない状態で弾性部材の弾発力によって開閉部材を閉鎖位置と開放位置との何れかに強制的に移動することができる。
【発明を実施するための最良の形態】
【００２０】
以下、本発明の遊技機としてのパチンコ遊技機１０に係る一実施形態を、図１〜図１９に基づいて説明する。図１に示すようにパチンコ遊技機１０は、遊技機枠体８０に遊技機本体８１を組み付けてなる。その遊技機本体８１は、それぞれ種々の部品が組み付けられた遊技板１１と機構板８４とからなる。また、遊技機枠体８０は、外枠８２と前面枠８３とからなる。この前面枠８３には、遊技板視認窓８３Ｗが前後方向に貫通形成されている。また、前面枠８３は、後面側に遊技板１１と機構板８４とが順番に宛がわれていると共に、前面側にガラス扉８５が宛がわれている。そして、ガラス扉８５に貫通形成されたガラス窓８５Ｗが、遊技板視認窓８３Ｗと前後方向に重なり、ガラス窓８５Ｗに嵌め込まれたガラス板８５Ｇを通してパチンコ遊技機１０の前方から遊技板１１が視認可能となっている。
【００２１】
ガラス扉８５のうちガラス窓８５Ｗの下方には、図２に示すように上皿２６が配置されている。この上皿２６は、上方に開放した容器状をなし、内部に遊技媒体としての遊技球を貯留可能となっている。上皿２６の側方には、上皿用球抜きボタン２６Ａが設けられており、この上皿用球抜きボタン２６Ａを押圧して上皿２６に貯留された遊技球を後述する下皿２７に排出することができる。
【００２２】
遊技領域Ｒ１は、遊技板１１の前面から突出するガイドレール１２に囲まれて略円形になっている。遊技領域Ｒ１の中央には、図１に示す表示装置取付開口１１Ｗが貫通形成されている。この表示装置取付開口１１Ｗには、図２に示すように前方から表示枠３０Ａが嵌合され、その表示枠３０Ａのうち周縁部の後面を遊技板１１の前面に宛がった状態にして固定されている。また、表示枠３０Ａの中央部には、略矩形の画面表示開口３０Ｗが貫通形成されており、その画面表示開口３０Ｗから遊技板１１の後面に取り付けられた液晶モニター３０Ｂの液晶表示画面３０Ｇが露出している。
【００２３】
遊技領域Ｒ１のうち表示枠３０Ａの両側方には、ランプ風車１７、始動ゲート１８、風車１９が上から順番にそれぞれ設けられている。また、表示枠３０Ａの下方には、始動入賞口１４、大入賞口１５、アウト口１６が上から順番に設けられている。始動入賞口１４の両側方には、ガイドレール１２に沿って一般入賞口２０，２１及びサイドランプ２２が設けられている。これら各始動入賞口１４，１５，２０，２１等の役物以外に、遊技領域Ｒ１には、遊技球と当接して流下方向を様々に変化させることが可能な図示しない障害釘が分散配置されている。
【００２４】
上記した役物の詳細は、以下のようである。一般入賞口２０，２１は、遊技板１１から突出した部材の上面に開口を備えた、所謂ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球が上皿２６に払い出される。
【００２５】
始動ゲート１８は、遊技球が潜って通過可能な門形構造をなし、通過した遊技球は始動ゲート１８に内蔵された図示しない普通図柄始動スイッチによって検出される。この検出信号に基づいて、液晶表示画面３０Ｇの一角に設けられた普通図柄表示部１８Ｈにおいて図柄が変動表示される。具体的には、「０」〜「９」までの数字からなる数字図柄が所定期間に亘って変動表示された後、所定の数字図柄が停止表示される。
【００２６】
始動入賞口１４は、所謂ポケット構造をなしている。そして、始動入賞口１４に入った遊技球は、遊技板１１に設けた貫通孔１１Ａを通って、遊技板１１の裏側に回収される。始動入賞口１４の開口の左右両側には可動翼片１４Ａ，１４Ａが備えられている。これら両可動翼片１４Ａ，１４Ａは、常には起立状態になっており、両可動翼片１４Ａ，１４Ａに挟まれた始動入賞口１４の開口幅は、遊技球が１つだけ入る大きさとなっている。そして、普通図柄表示部１８Ｈで停止表示された数字図柄が奇数になると、遊技板１１の裏に設けた図示しないソレノイドが駆動されて、両可動翼片１４Ａ，１４Ａが所定期間（例えば、０．４秒間）に亘って横に倒される。すると、始動入賞口１４の上方空間が側方に開放し、始動入賞口１４の両脇に至った遊技球が可動翼片１４Ａに受け止められて始動入賞口１４に案内されるようになる。
【００２７】
始動入賞口１４に遊技球が入賞すると、始動入賞口１４内に設けた図示しない始動口センサが遊技球を検出し、その検出信号に基づいて、例えば、４個の遊技球が後述する上皿２６に払い出されると共に、液晶表示画面３０Ｇにおいて図柄が変動表示される。具体的には、液晶表示画面３０Ｇには、通常、３つの左、中、右の特別図柄３１Ａ，３１Ｂ，３１Ｃが横並びに表示されている。これら各特別図柄３１Ａ，３１Ｂ，３１Ｃは、例えば、「０」〜「１１」の数字を表記した複数種類のもので構成されており、通常は、各特別図柄３１Ａ，３１Ｂ，３１Ｃごと、所定の種類のものが停止表示されている。そして、始動入賞口１４に遊技球が入賞したときに、これら３つの特別図柄３１Ａ，３１Ｂ，３１Ｃが、上下方向にスクロール表示され、所定時間後に、例えば、左、右、中の順で各特別図柄３１Ａ，３１Ｃ，３１Ｂが停止表示される。このとき、中特別図柄３１Ｂがスクロール表示されている状態で、先に停止表示された左・右の特別図柄３１Ａ，３１Ｃが、同じ図柄となった場合に「リーチ状態」が成立する。すると、次述する「大当たり状態」になる確率が高くなる。また、全ての特別図柄３１Ａ，３１Ｂ，３１Ｃが同じ図柄、即ち、ぞろ目になった場合に、遊技が「大当たり状態」になる。
【００２８】
なお、液晶表示画面３０Ｇにおいて特別図柄３１Ａ，３１Ｂ，３１Ｃが変動表示又は「大当たり状態」の最中に始動入賞口１４に入賞した場合、その入賞球は最大で４個まで保留記憶され、特別図柄３１Ａ，３１Ｂ，３１Ｃが停止表示又は「大当たり状態」が終了すると、その保留記憶に基づいて再び、特別図柄３１Ａ，３１Ｂ，３１Ｃが変動表示される。
【００２９】
大入賞口１５は、横長矩形に形成されて、常には、可動扉１５Ｔにて閉塞されている。そして、パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３０】
大入賞口１５の内部には、図示しない計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿２６に払い出される。
【００３１】
前面枠８３の前面のうちガラス扉８５の下方は、横並びに配置された下皿扉４０と固定板８６とで覆われている。固定板８６は、前面枠８３の下側角部に固定されている。そして、この固定板８６の上端部に設けられた鍵穴８６Ａに鍵を挿入して回動操作すると、ガラス扉８５が、前面枠８３のうち固定板８６と反対側の側面に設けられた１対の上側ヒンジ部８３Ａ，８３Ａ（図１参照）を中心にして回動可能となっている。また、固定板８６の下端部には、操作ノブ８６Ｂが取り付けられている。
【００３２】
下皿扉４０は、図２に示すようにパチンコ遊技機１０の前方から見ると略横長矩形状をなし、係止金具４６Ｎ（図３参照）を引き上げると、前面枠８３のうち固定板８６と反対側の側部に設けられた１対の下側ヒンジ部８３Ｂ，８３Ｂ（図１参照）と、下皿扉４０のうち固定板８６と反対側の側部に設けられた１対の下皿扉ヒンジ部４６Ｊ、４６Ｊ（図３参照）とからなるヒンジ機構を中心にして回動可能となっている。この下皿扉４０は、下皿扉ベース４２Ｂの前面側に第１と第２の装飾カバー４４Ａ，４４Ｂを左右方向に並べて組み付けてなる。これら第１と第２の装飾カバー４４Ａ，４４Ｂは、ガラス扉８５の前面より前方に膨出していると共に、図２に示すように上向き面が下皿扉４０の左右方向の両端から第１と第２の装飾カバー４４Ａ，４４Ｂの境界位置に向けて下向きに湾曲している。
【００３３】
第１の装飾カバー４４Ａは、下皿扉ベース４２Ｂに後述する要領で第２の装飾カバー４４Ｂを予め取り付けておき、その第２の装飾カバー４４Ｂの一側部を案内にして下皿扉ベース４２Ｂに取り付けられ、下皿扉ベース４２Ｂに後方から螺旋止めされる。これにより、第２の装飾カバー４４Ｂを下皿扉ベース４２Ｂに固定する螺子のうちの前方に露出するものが第１の装飾カバー４４Ａによって覆われて、防犯性が高まる。この第１の装飾カバー４４Ａの上向き面には、図３に示すように画像操作ボタン４１が設けられている。この画像操作ボタン４１は、押圧操作によって液晶表示画面３０Ｇで表示される画像を選択可能になっている。また、この画像操作ボタン４１は、第１の装飾カバー４４Ａの上向き面の傾斜にあわせて第２の装飾カバー４４Ｂ側に下向きに傾斜している。
【００３４】
下皿扉ベース４２Ｂは、図４に示すように、下皿扉基板４６（本発明の「ベース壁の本体部分」に相当する）の前面側に貯留槽４３と開閉ユニット６０とを取り付けてなる。この下皿扉基板４６は、不透明な樹脂からなり、略横長矩形状に形成され、前面枠８３の前方を覆っている。また、この貯留槽４３は、略横長矩形状をなす上端部及び下皿扉基板４６側の側方が開放されていると共に、下面が略水平な容器状をなしている。この貯留槽４３の底部のうち操作ボタン５０寄りの位置には、図４に示すように排出口４３Ａが設けられている。排出口４３Ａは、略円形状をなし、複数の遊技球が一度に通過可能となっている。また、貯留槽４３の底部は、周縁部から排出口４３Ａに向けて下向きに傾斜している。
【００３５】
貯留槽４３は、図３に示すように、その底部の後縁部に立設された位置決め突状４３Ｂを下皿扉基板４６の前面に略水平方向に延びる位置決め溝４６Ｋに挿入して位置決めされている。そして、貯留槽４３のうち下皿扉基板４６側の側方が下皿扉基板４６の壁部４６Ｈによって閉鎖された状態にして、下皿扉基板４６に前方から螺旋止めされている。これにより、貯留槽４３と下皿扉基板４６とが一体となって下皿２７を形成し、この下皿２７内に遊技球を貯留可能になっている。
【００３６】
壁部４６Ｈは、下皿扉基板４６の中央に形成された略鉛直の平坦面である。この壁部４６Ｈのうち排出口４３Ａの後方となる部位には、遊技球流入口４６Ｇが前後方向に貫通形成されている。この遊技球流入口４６Ｇは、横長矩形状に形成され、一度に複数の遊技球が通過可能になっている。そして、上皿２６から排出されて図示しない遊技球通路を通った遊技球が、遊技球流入口４６Ｇから下皿２７に流入可能となっている。
【００３７】
貯留槽４３の下方には、排出口カバー４６Ａが設けられている。この排出口カバー４６Ａは、下面カバー５９と同じ色彩の同じ材料からなり、先端部に排出口保護口４６Ｂが上下方向に貫通形成されている。この排出口保護口４６Ｂは、直径が排出口４３Ａより僅かに大きい円筒状をなしている。排出口カバー４６Ａは、後端部が下皿扉基板４６の前面に突き当てられ、貯留槽４３の下面との間に略一定の間隔の隙間を保った状態にして、貯留槽４３に下方から螺旋止めされている。これにより、貯留槽４３と排出口カバー４６Ａとの間を、後述する開閉部材６４の水平アーム６４Ｆが通過可能となっている。また、排出口保護口４６Ｂが排出口４３Ａと上下方向に重なるので、排出口４３Ａから排出された遊技球が排出口保護口４６Ｂを通過する。
【００３８】
下皿扉基板４６のうち壁部４６Ｈより固定板８６側には、下皿扉基板４６の後面側に固定されたＬＥＤ基板４６Ｉの先端部が突出している。このＬＥＤ基板４６Ｉは、先端部に貯留槽４３側に向けられた複数、例えば３つのＬＥＤ（図示せず）が実装されている。
【００３９】
第２の装飾カバー４４Ｂは、前面カバー４２Ａに後述する操作ユニット４７を取り付けてなる。この前面カバー４２Ａは、下面カバー５９の上縁部に上面カバー５８を後方から螺旋止めしてなる。下面カバー５９は、前面側が前方に膨出している。そして、その膨出した部分の下面側が平坦になっており、図５に示す排出部固定開口５９Ａが上下方向に貫通形成されている。また、上面カバー５８は、透光性材料からなり、上面のうち固定板８６側に取付開口５８Ａが上下方向に貫通形成されている。
【００４０】
上面カバー５８の取付開口５８Ａには、図６に示すように、上面カバー５８を上下方向に貫通するようにして操作部材４７Ａが取り付けられている。この操作部材４７Ａは、操作ボタン５０、直動ギヤ５２、回転ギヤ５４及び直動シャフト５５からなり、保持ケース４７Ｃ内に直動可能に保持されている。そして、操作部材４７Ａの操作ボタン５０と保持ケース４７Ｃの上端部とが、上面カバー５８の上面から突出している。この操作ボタン５０は、図２に示すようにパチンコ遊技機１０の前方から押圧操作可能となっている。また、操作ボタン５０の上端面は、「玉抜」の２文字（図４参照）が刻印され、下皿２７側に向かって下向きに傾斜している。
【００４１】
保持ケース４７Ｃは、透過性を有する樹脂で構成された透明ケース５７と、その透明ケース５７内に収容された円環枠部５１及び固定ケース５３とからなる。この透明ケース５７は、上部が下部に対して段差状に拡径しかつ上端部が開放した円筒状をなしている。そして、透明ケース５７の上部と下部との間の段差部５７Ｃに固定ケース５３のケース底板５３Ｃを突き当て、円環枠部５１及び固定ケース５３に下側から螺子止めされている。
【００４２】
円環枠部５１は、上端部が円環状に形成され、その内側を操作ボタン５０が挿通可能となっている。また、図７に示す固定ケース５３は、下端有底の略円筒状をなし、側壁部５３Ａに設けられた１対のガイド開口５３Ｂ，５３Ｂに、操作ボタン５０の下端部から外側に突出する１対の係止突部５０Ａ，５０Ａが嵌め込まれてなる。これにより、操作ボタン５０は、係止突部５０Ａの側部がガイド開口５３Ｂの側縁部に当接して回動が規制される一方、上下方向に直動可能となっている。そして、操作ボタン５０が上方に直動して係止突部５０Ａの上端部がガイド開口５３Ｂの上縁部に当接する位置が、操作ボタン５０の直動範囲の上限位置となる。
【００４３】
固定ケース５３のケース底板５３Ｃの中央には、図６に示す固定ギヤ５３Ｄが設けられている。この固定ギヤ５３Ｄは、両端面が開放した円筒状をなし、操作ボタン５０の直動方向に沿って延びて上端部がケース底板５３Ｃの上方に突出する一方、下端部がケース底板５３Ｃの下方に突出している。
【００４４】
固定ギヤ５３Ｄの下端部には、６つの誘導突部５３Ｅが設けられている。各誘導突部５３Ｅは、固定ギヤ５３Ｄの下端面を円周方向に６等分した位置に配され、図７に示すように、固定ギヤ５３Ｄの延長方向に延びる係止直壁５３Ｆと、その係止直壁５３Ｆの先端部から円周方向に隣り合う係止直壁５３Ｆの基端部に向けて延びる誘導斜面５３Ｇとからなる。そして、全ての誘導斜面５３Ｇが、同一の円周方向に向かって略同一の角度で傾斜している。また、固定ギヤ５３Ｄの下端部には、３つの係止スリット５３Ｈが設けられている。これら係止スリット５３Ｈは、固定ギヤ５３Ｄの下端面を円周方向に３等分した位置に設けられ、係止直壁５３Ｆを上方に延長した部位を含んでいる。
【００４５】
固定ギヤ５３Ｄの内空には、図６に示すように上方から直動ギヤ５２が挿入されている。直動ギヤ５２は、上端有底の円筒状に形成され、その側面に係止突条５２Ａ（図７参照）が立設されている。そして、この係止突条５２Ａが、固定ギヤ５３Ｄの内空に操作ボタン５０の直動方向に沿って設けられた誘導溝（図示せず）に嵌め込まれている。これにより、直動ギヤ５２は、回動が規制される一方、操作ボタン５０の直動方向に沿って上下方向に直動可能となっている。この直動ギヤ５２は、下方に直動して係止突条５２Ａの下端部が誘導溝の下端部に当接すると直動範囲の下限位置に至る。そして、直動ギヤ５２が下限位置に至ると、その直動ギヤ５２の上端部に載置された操作ボタン５０も直動範囲の下限位置となる。また、直動ギヤ５２が上方に直動し、その直動ギヤ５２に押し上げられた操作ボタン５０が直動範囲の上限位置に至ると、直動ギヤ５２も直動範囲の上限位置となる。
【００４６】
直動ギヤ５２の下端部には、６つの山形突部５２Ｂが設けられている。各山形突部５２Ｂは、図７に示すように、直動ギヤ５２の下端面を円周方向に６等分した位置に設けられた頂部５２Ｃと、その頂部５２Ｃから円周方向の両側にＶ字状に延びる１対の押圧斜面５２Ｄ，５２Ｄとからなる。これら山形突部５２Ｂの頂部５２Ｃは、固定ギヤ５３Ｄの係止直壁５３Ｆと円周方向に位相をずらして配置されている。
【００４７】
直動ギヤ５２の内空には、図６に示すように、下方から直動シャフト５５が挿入されている。この直動シャフト５５は、先端部が半球状をなす丸棒であって、中間部に規制フランジ５５Ａが立設されている。また、直動シャフト５５の下端部が、透明ケース５７の下端部に貫通形成されたシャフト挿通孔５７Ａに挿通されている。このように、直動シャフト５５の両端部は、直動ギヤ５２と透明ケース５７とによって上下方向に直動可能に支持されている。
【００４８】
直動シャフト５５のうち規制フランジ５５Ａより上方には、図７に示す回動ギヤ５４が外装されている。この回動ギヤ５４は、両端部が開放された円筒状の本体部５４Ａと、その本体部５４Ａを円周方向に３等分した位置の側部に立設された係止壁５４Ｂとからなり、本体部５４Ａ内に下方から挿通された直動シャフト５５によって回動可能に軸支されている。各係止壁５４Ｂの上端面に形成された摺接面５４Ｃは、本体部５４Ａの径方向には外縁部から本体部５４Ａの開口部に向かって下向きに傾斜している一方、本体部５４Ａの円周方向には対向する固定ギヤ５３Ｄの誘導斜面５３Ｇ及び直動ギヤ５２の押圧斜面５２Ｄと略平行に傾斜している。
【００４９】
直動シャフト５５のうち規制フランジ５５Ａより下方は、圧縮コイルバネ５６に挿通されている。この圧縮コイルバネ５６は、上端部が規制フランジ５５Ａに当接する一方、下端部が透明ケース５７の下端部に当接しており、直動シャフト５５を操作ボタン５０側に付勢している。即ち、操作部材４７Ａが圧縮コイルバネ５６によって上向きに付勢される。
【００５０】
直動シャフト５５は、操作部材４７ＡがＯＦＦ位置に至ると、図８に示すように透明ケース５７の下端部から僅かに突出する。また、回動ギヤ５４の係止壁５４Ｂが固定ギヤ５３Ｄの係止スリット５３Ｈに入り込んだ状態で圧縮コイルバネ５６によって上向きに付勢される。これにより、回動ギヤ５４が固定ギヤ５３Ｄ内に収容された状態に保持されると共に、操作部材４７Ａが直動範囲の上限位置に至る。
【００５１】
ＯＦＦ位置にある操作部材４７Ａを押圧すると、図９に示すように、直動ギヤ５２が下向きに直動して直動ギヤ５２の押圧斜面５２Ｄと回動ギヤ５４の摺接面５４Ｃとが当接し、回動ギヤ５４には、直動ギヤ５２を介して操作部材４７Ａの操作力が伝達されると共に、規制フランジ５５Ａを介して圧縮コイルバネ５６の弾性力が伝達される。そして、これら直動シャフト５５の長手方向に作用する軸力によって回動ギヤ５４の摺接面５４Ｃが直動ギヤ５２の押圧斜面５２Ｄに沿って摺動するように付勢され、回動ギヤ５４の係止壁５４Ｂの側面が固定ギヤ５３Ｄの係止スリット５３Ｈの側面に押し付けられる。さらに操作部材４７Ａを押圧してＯＮ位置に至ると、図１０に示すように回動ギヤ５４が直動ギヤ５２内から押し出されて回動ギヤ５４の摺接面５４Ｃが直動ギヤ５２の押圧斜面５２Ｄに沿って摺動し、回動ギヤ５４の摺接面５４Ｃが円周方向に隣り合う直動ギヤ５２の押圧斜面５２Ｄの上端部に当接するまで回動ギヤ５４が回動する。また、操作部材４７ＡがＯＮ位置に至ると、操作部材４７ＡがＯＦＦ位置にある場合より直動シャフト５５の下端部が透明ケース５７のシャフト挿通孔５７Ａから多く突出する。
【００５２】
そして、操作部材４７Ａの押圧を解除すると、圧縮コイルバネ５６に付勢された規制フランジ５５Ａによって回動ギヤ５４が僅かに押し上げられ、回動ギヤ５４の摺接面５４Ｃが固定ギヤ５３Ｄの誘導斜面５３Ｇに当接する。すると、回動ギヤ５４の摺接面５４Ｃが固定ギヤ５３Ｄの誘導斜面５３Ｇに沿って摺動し、図１１に示すように、回動ギヤ５４の係止壁５４Ｂが固定ギヤ５３Ｄの係止直壁５３Ｆに押し当てられた状態に保持される。このように、操作部材４７ＡがＯＮ位置にある場合には、操作部材４７ＡがＯＦＦ位置にある場合より回動ギヤ５４が円環枠部５１から離れた位置に留まるので、回動ギヤ５４に押し上げられている直動ギヤ５２の上端部と当接する操作ボタン５０が、円環枠部５１内に比較的押し込まれた状態に保持される。
【００５３】
ＯＮ位置にある操作部材４７Ａを押圧すると、直動ギヤ５２が下方に直動して回動ギヤ５４を固定ギヤ５３Ｄ内から押し出す。すると、回動ギヤ５４の摺接面５４Ｃが固定ギヤ５３Ｄの誘導斜面５３Ｇに沿って摺動して、図１２に示すように、回動ギヤ５４の摺接面５４Ｃが円周方向に隣り合う直動ギヤ５２の押圧斜面５２Ｄの上端部に当接するまで回動ギヤ５４が回動する。そして、操作部材４７Ａの押圧を解除すると、圧縮コイルバネ５６の弾性力によって回動ギヤ５４が上方に直動し、回動ギヤ５４の摺接面５４Ｃが固定ギヤ５３Ｄの誘導斜面５３Ｇに当接する。そして、回動ギヤ５４の摺接面５４Ｃが固定ギヤ５３Ｄの誘導斜面５３Ｇに沿って摺動して、図８に示すように回動ギヤ５４の係止壁５４Ｂが固定ギヤ５３Ｄの係止スリット５３Ｈに入り込んで、操作部材４７ＡがＯＦＦ位置に保持される。
【００５４】
ここで、直動ギヤ５２、固定ギヤ５３Ｄ、回動ギヤ５４、直動シャフト５５及び圧縮コイルバネ５６が、本発明の「交互保持機構４７Ｂ」となっている。また、操作部材４７Ａ、保持ケース４７Ｃ及び圧縮コイルバネ５６が、操作ユニット４７となっている。さらに、図８〜図１２では、説明のために操作ボタン５０、円環枠部５１及び透明ケース５７のみを断面で示している。
【００５５】
また、操作部材４７Ａの動作を纏めると以下のようである。操作部材４７Ａは、常には、交互保持機構４７ＢによってＯＦＦ位置に保持されている（図８参照）。そして、パチンコ遊技機１０の前方から操作ボタン５０を一度押圧すると、操作部材４７ＡがＯＦＦ位置からＯＮ位置に至り、押圧を解除しても交互保持機構４７ＢによってＯＮ位置に保持される（図９〜図１１参照）。それから、再度、操作ボタン５０を押圧すると操作部材４７ＡがＯＦＦ位置に復帰し、押圧を解除しても交互保持機構４７ＢによってＯＦＦ位置に保持される（図８及び図１２参照）。
【００５６】
保持ケース４７Ｃのうち上面カバー５８の下面側に突出する部分には、透光カバー５８Ｂ（図６参照）が外装されている。この透光カバー５８Ｂは、透過性を有する樹脂からなる下端有底の円筒状をなし、下端部に透明ケース５７の段差部５７Ｃより下方を挿通可能な開口部を備えている。そして、図６に示すように、透光カバー５８Ｂの開口部に透明ケース５７が上方から挿通され、透光カバー５８Ｂの下端部を透明ケース５７の段差部５７Ｃに突き当てた状態にして下方から螺子止めされている。これにより、透光カバー５８Ｂと保持ケース４７Ｃとが一体化されると共に、固定フランジ５７Ｂと透光カバー５８Ｂとの間に取付開口５８Ａの周縁部を挟んで、保持ケース４７Ｃを上面カバー５８に固定している。
【００５７】
この透光カバー５８Ｂの側方には、遮光カバー５８Ｃ装着されている。この遮光カバー５８Ｃは、不透明な樹脂で構成され、両端が開放された円筒状の遮光壁部と、その遮光壁部の上縁部から上面カバー５８の下面に沿って広がる遮光板部とからなる。この遮光カバー５８Ｃの遮光壁部の下方には、上面に複数、例えば４つのＬＥＤ５８Ｄが実装されたＬＥＤ基板５８Ｅが配置されている。このＬＥＤ基板５８Ｅは、透光カバー５８Ｂの下面に立設された位置決め突条５８Ｈに下方から突き当てた状態にして、透光カバー５８Ｂに下方から螺子止めされている。これにより、透光カバー５８ＢとＬＥＤ基板５８Ｅとの間の空間にＬＥＤ５８Ｄを収容可能になると共に、遮光カバー５８Ｃの遮光壁部がＬＥＤ基板５８Ｅと上面カバー５８との間に遊嵌される。また、ＬＥＤ基板５８Ｅから延びる電線は、後述する回動支持盤６０の電線挿通孔６０Ｄ（図１３参照）を通って下皿扉基板４６の後方に取り出されている。
【００５８】
ＬＥＤ基板５８Ｅに実装されたＬＥＤ５８Ｄは、遊技が大当たり状態になった際に演出の一部として点灯する。このＬＥＤ５８Ｄからの光は、上方に向かって照射され、透光カバー５８Ｂの下面に設けられた凹凸部（図示せず）によって攪乱され、透明ケース５７の段差部５７Ｃを全体的に照射する。そして、ＬＥＤ５８Ｄからの光が透明ケース５７の固定フランジ５７Ｂに至ると、上面部が外側に湾曲した形状をなす固定フランジ５７Ｂのレンズ効果によって強度を増して上方を照射する。なお、遮光カバー５８ＣによってＬＥＤ５８Ｄからの光の照射範囲が固定フランジ５７Ｂに限定され、第２の装飾カバー４４Ｂのうち固定フランジ５７Ｂのみが輝くようになる。
【００５９】
第２の装飾カバー４４Ｂは、図３に示す下皿扉ベース４２Ｂを前方から覆うようにして取り付けられる。具体的には、操作ボタン５０をＯＦＦ位置にした第２の装飾カバー４４Ｂを後端部側から下皿扉ベース４２Ｂの前面側に近づけ、下面カバー５９の一方の側部５９Ｂを下皿扉基板４６に突設された第１ガイド円筒４６Ｆに摺接させると共に、上面カバー５８の後端部の両側部５８Ｆ，５８Ｇを貯留槽４３の側部４３Ｆ及び下皿扉基板４６に突設された第２ガイド円筒４６Ｍに摺接させながら後方にスライドさせる。そして、第２の装飾カバー４４Ｂの後端部を下皿扉ベース４２Ｂの所定の部位に突き当て、排出部固定開口５９Ａ（図５参照）に排出口カバー４６Ａを嵌合した状態で、下皿扉ベース４２Ｂに螺旋止めされる。これにより、第２の装飾カバー４４Ｂが下皿扉ベース４２Ｂと一体になり、図１４に示すように前面カバー４２Ａと下皿扉基板４６との間に機構部収容空間Ｒ２が形成される。
【００６０】
この機構部収容空間Ｒ２内には、図４に示す回動支持盤６０が配置されている。回動支持盤６０は、透過性を有する樹脂からなり、鉛直に配置された支持平板６０Ｆと、その支持平板６０Ｆの周縁部から後方に突出する周囲壁６０Ｂとを備えてなる。この回動支持盤６０は、支持平板６０Ｆと周囲壁６０Ｂとで囲まれた空間内に下皿扉基板４６の前面に突出するＬＥＤ基板４６Ｉを収容しかつ、貯留槽４３と左右方向に並べた状態にして下皿扉基板４６に前方から螺子止めされている。そして、これら下皿扉基板４６と回動支持盤６０とが、本発明の「ベース壁４４Ｃ」となっている。また、回動支持盤６０のうち貯留槽４３側の周囲壁６０Ｂに突設された照射突部６０Ｃが、貯留槽４３の側部に設けられた取付部４３Ｃに嵌合して下皿２７内に露出している。これにより、下皿２７に貯留された遊技球が所定量に達した際に、ＬＥＤ基板４６Ｉに実装されたＬＥＤが照射突部６０Ｃを介して下皿２７内を照射することができる。
【００６１】
また、支持平板６０Ｆの後面と下皿扉基板４６の前面との間には、図１７に示す遊技球通路６０Ｅが設けられている。この遊技球通路６０Ｅには、上皿用球抜きボタン２６Ａ（図２参照）の押圧操作によって図示しない発射装置内から排出された遊技球が、回動支持盤６０のうち固定板８６側の上側角部から流入する。そして、遊技球通路６０Ｅを通過した遊技球が、回動支持盤６０のうち貯留槽４３側の下側角部から下皿２７内に排出される。
【００６２】
支持平板６０Ｆの前面は、略鉛直な平坦面である鉛直平坦面一面６０Ａとなっている。この鉛直平坦面一面６０Ａには、図１３に示すように、１対の開閉回動支持突部６２，６２（本発明の「第２回動支持突部」に相当する）と、１対の中継回動支持突部６１，６１（本発明の「第１回動支持突部」に相当する）とが貯留槽４３側から順番に左右方向に横並びにして突設されている。これら開閉回動支持突部６２，６２の先端部に貫通形成された軸受け孔（図示せず）には、開閉部材６４に備えられた開閉回動シャフト６４Ｈが挿通され、その開閉回動シャフト６４Ｈの両端部が抜け止めされている。この開閉回動シャフト６４Ｈは、略鉛直方向に延びかつ鉛直平坦面一面６０Ａと略平行になっている。
【００６３】
開閉部材６４は、上下の両端が開放された円筒状をなす回動円筒部６４Ａと、回動円筒部６４Ａの下端部から貯留槽４３側に突出するシャッタ部６４Ｂと、回動円筒部６４Ａの上端部から貯留槽４３と反対側に突出する受圧移動部６４Ｃとを備えている。回動円筒部６４Ａは、内部に開閉回動シャフト６４Ｈが挿通され、開閉部材６４が開閉回動シャフト６４Ｈを中心にして回動可能になっている。また、受圧移動部６４Ｃは、鉛直方向に延びて鉛直平坦面一面６０Ａと対向する平板であって、下方に向かって僅かに幅広となっている。
【００６４】
シャッタ部６４Ｂは、全体としてクランク状をなす板材であって、回動円筒部６４Ａの下端部から貯留槽４３側に突出する張出部６４Ｄの先端部から鉛直下方に鉛直アーム６４Ｅが延び、その鉛直アーム６４Ｅの下端部から水平アーム６４Ｆが貯留槽４３側に向かって略水平に延びている。水平アーム６４Ｆは、図１３に示すように先端部に向かって幅広となる板状をなし、先端部が排出口４３Ａ（図４参照）及び排出口保護口４６Ｂ（図４参照）より僅かに大きい略円形状になっている。水平アーム６４Ｆの先端部は、貯留槽４３と排出口カバー４６Ａとの間に形成された水平アーム６４Ｆの板厚より僅かに間隔が大きい隙間内に配置され、この隙間内を略水平方向に回動する。このように、水平アーム６４Ｆが貯留槽４３の下面と近接した位置を、貯留槽４３の下面に沿って略水平に回動するので、他の部品の配置の自由度を極力損なわないようにすることができる。また、水平アーム６４Ｆは、その先端部に突設された摺動突部６４Ｇを、排出口カバー４６Ａに立設されて水平アーム６４Ｆの回動軌跡に沿って延びる開閉部材支持壁４６Ｌ（図３参照）の上端部に摺接させるので、回動中の姿勢が安定する。
【００６５】
鉛直アーム６４Ｅの側部には、圧縮コイルバネ６５（本発明の「弾性部材」に相当する）の一端部が係止されている。この圧縮コイルバネ６５の他端部は、貯留槽４３の回動支持盤６０側の側部のうち鉛直アーム６４Ｅより前側部分に立設された係止片４３Ｅ（図３参照）に係止されている。そして、この圧縮コイルバネ６５の弾性力によって、水平アーム６４Ｆの先端部が下皿扉基板４６から離れる一方、受圧移動部６４Ｃが下皿扉基板４６に近づく方向に回動するように付勢されている。
【００６６】
中継部材６３には、中継回動シャフト６３Ｆが備えられている。この中継回動シャフト６３Ｆは、両中継回動支持突部６１，６１の先端部に貫通形成された軸受け孔（図示せず）に挿通され、両端部が抜け止めされている。この中継回動シャフト６３Ｆは、水平方向に対して貯留槽４３側に下るように延びかつ鉛直平坦面一面６０Ａと略平行になっている。
【００６７】
中継部材６３は、全体として略Ｌ字形をなす平板を備えてなり、中継回動シャフト６３Ｆから前方に略水平方向に突出する操作力受部６３Ａと、その操作力受部６３Ａの基端部から上方に突出する旋回部６３Ｄとを備えている。操作力受部６３Ａの上向き面は、平坦に形成された当接受面６３Ｂであり、中継回動シャフト６３Ｆと略平行になっている。操作力受部６３Ａの基端部に設けられた軸挿通孔６３Ｃ内には、中継回動シャフト６３Ｆが挿通され、中継部材６３が中継回動シャフト６３Ｆを中心にして前後方向に回動可能になっている。また、両中継回動支持突部６１，６１の対向面の間隔が操作力受部６３Ａの幅より僅かに広くなっており、中継部材６３が中継回動シャフト６３Ｆ方向に位置決めされている。
【００６８】
旋回部６３Ｄは、操作力受部６３Ａと略直交しかつ鉛直平坦面一面６０Ａと対向し、開閉回動シャフト６４Ｈ側の上側角部が開閉部材６４の受圧移動部６４Ｃと回動支持盤６０の鉛直平坦面一面６０Ａとの間に挟まれている。この旋回部６３Ｄの前面のうち開閉回動シャフト６４Ｈ側の上側角部には、伝達突部６３Ｅが斜め上向きに突出している。この伝達突部６３Ｅの先端部は、略半球状をなし、受圧移動部６４Ｃが押し当てられている。そして、この受圧移動部６４Ｃを介して伝達される圧縮コイルバネ６５の弾性力によって旋回部６３Ｄが、常には、即ち、後述するように操作部材４７ＡがＯＦＦ位置にある場合には、鉛直平坦面一面６０Ａに押し付けられている。そして、中継部材６３が前方に回動すると、伝達突部６３Ｅが受圧移動部６４Ｃを押圧し、圧縮コイルバネ６５の弾性力に抗して開閉部材６４を回動させる。このように、中継部材６３と開閉部材６４とが連動して伝達突部６３Ｅと受圧移動部６４Ｃとの相対位置が変化しても、伝達突部６３Ｅの先端部が略半球状になっているので、伝達突部６３Ｅが受圧移動部６４Ｃの後面をスムーズに摺動することができる。
【００６９】
上記した回動支持盤６０、中継部材６３、中継回動支持突部６１、開閉部材６４及び開閉回動支持突部６２は、開閉ユニット４５（図１３参照）を構成する。この開閉ユニット４５は、図１４に示す機構部収容空間Ｒ２に収容され、その上方に操作部材４７Ａが配置されている。そして、これら開閉ユニット４５と操作部材４７Ａとから開閉機構４８（図１７参照）が形成されている。また、操作部材４７Ａは、常には、ＯＦＦ位置にあって、操作部材４７Ａの直動シャフト５５の先端部が中継部材６３の操作力受部６３Ａと上下方向に対向し、図１７に示すように、操作部材４７Ａの直動軸Ｌ１と中継部材６３の回動軸Ｌ２とが直交している。一方、開閉ユニット４５の開閉部材６４は、圧縮コイルバネ６５の弾性力によって、図４に示すように水平アーム６４Ｆの先端部が排出口カバー４６Ａの先端部に立設された係止突辺４６Ｅ（図３参照）に突き当てられた状態に保持されている。そして、この水平アーム６４Ｆの先端部が排出口４３Ａ及び排出口保護口４６Ｂ（図３参照）と上下方向に重なり、排出口４３Ａを下方から閉鎖する。このように、開閉部材６４は、常には、圧縮コイルバネ５６の弾性力によって排出口４３Ａを閉鎖する閉鎖位置に保持されている。以上が、本実施形態のパチンコ遊技機１０の構成である。
【００７０】
以下、本実施形態のパチンコ遊技機１０の作用効果を説明する。
ＯＦＦ位置にある操作部材４７Ａを押圧すると、図１５に示すように直動シャフト５５が下方に直動して中継部材６３の当接受面６３Ｂを押し下げて、開閉部材６４の受圧移動部６４Ｃを介して中継部材６３に伝達される圧縮コイルバネ５６の弾性力に抗し、中継部材６３の操作力受部６３Ａが下向きに回動すると共に、中継部材６３の旋回部６３Ｄが前側に回動する。これにより、操作部材４７Ａの操作力に基づく軸力が回動力に変換される。また、中継部材６３が回動して直動シャフト５５の先端部と当接受面６３Ｂとの間の相対位置及び相対角度が変化しても、直動シャフト５５の先端部が半球状になっているので、直動シャフト５５が当接受面６３Ｂ上をスムーズに摺動することができる。
【００７１】
そして、図１３に示す中継部材６３の旋回部６３Ｄに設けた伝達突部６３Ｅが開閉部材６４の受圧移動部６４Ｃを前方に押圧し、開閉部材６４が圧縮コイルバネ５６の弾性力に抗して回動する。また、これと同時に、水平アーム６４Ｆが下皿扉基板４６側に回動し、水平アーム６４Ｆの先端部の一部が下皿扉基板４６のうち位置決め溝４６Ｋと排出口カバー４６Ａとの間に前後方向に貫通形成された水平アーム挿通孔４６Ｄに入り込み、排出口４３Ａが開放される。そして、操作部材４７Ａの押圧が解除されて操作部材４７Ａが交互保持機構４７ＢによってＯＮ位置に保持されると、図１６に示すように水平アーム６４Ｆの先端部が排出口４３Ａと上下方向に重なる範囲から外れた開放位置に保持され、下皿２７に貯留された遊技球を排出可能になる。このように、操作部材４７Ａの一度の操作により水平アーム６４Ｆが開放位置に保持されるので、遊技者は下皿２７に蓄えられた遊技球を排出している間も遊技に集中することができる。そして、ＯＮ位置にある操作部材４７Ａを一度押圧すると操作部材４７ＡがＯＦＦ位置に移動しかつ、交互保持機構４７ＢによってＯＦＦ位置に保持される。以上のように、中継部材６３を設けたことにより、例えば、本実施形態のパチンコ遊技機１０のように、操作部材４７Ａと排出口４３Ａが離れた位置にある場合や、変則的な位置にある場合等においても対応可能である。
【００７２】
ところで、本実施形態のパチンコ遊技機１０を基にして新機種を開発する際に、パチンコ遊技機１０の外観デザインとしての前面カバー４２Ａの形状を変更すると、それに伴って操作部材４７Ａの配置が変更される。そして、操作部材４７Ａの配置の変更によって操作部材４７Ａと中継部材６３との間で力を良好に伝達することができなくなる場合には、中継部材６３を回動支持盤６０の鉛直平坦面一面６０Ａと平行な２次元平面内で上下左右に平行移動又は回転させる配置変更を行う。具体的には、例えば、操作部材４７Ａを前面カバー４２Ａの上面で左右方向に傾けるデザイン変更がされた場合には、外観デザインを変更する前の開閉ユニット４５の正面図、即ち、図１７に示す本実施形態のパチンコ遊技機１０の開閉ユニット４５の正面図をＣＡＤで作図し、その図面に外観デザインを変更した後の操作部材４７Ａの直動軸Ｌ１１を描く。そして、ＣＡＤ上で中継部材６３と中継回動支持突部１６１とを鉛直平坦面一面６０Ａ内で操作部材４７Ａが傾けられた角度分だけ回動させる共に上下左右に平行移動させて、図１８に示すように操作部材４７Ａの直動軸Ｌ１１と中継部材６３の回転軸Ｌ１２とを直交させる。すると、外観デザインの変更の前後で操作部材４７Ａの直動軸Ｌ１，Ｌ１１と中継部材６３の回転軸Ｌ２，Ｌ１２との相対角度が略同一となる。
【００７３】
さらに、中継部材６３と中継回動支持突部１６１とを、中継部材６３の当接受面６３Ｂの幅方向の中央を操作部材４７Ａの直動軸Ｌ１１が通過するように鉛直平坦面一面６０Ａ内で移動させると、外観デザインの変更の前後で操作部材４７Ａの直動軸Ｌ１，Ｌ１１と中継部材６３の回転軸Ｌ２，Ｌ１２との相対位置が略同一となる。そして、中継部材６３と中継回動支持突部１６１とを操作部材４７Ａの直動軸Ｌ１１と平行に移動して、操作部材４７Ａの直動シャフト５５の先端部と中継部材６３の当接受面６３Ｂとの間が所定の間隔となるように中継部材６３と中継回動支持突部１６１とを配置すればよい。
【００７４】
このように、本実施形態のパチンコ遊技機１０によれば、中継部材６３を軸支する中継回動支持突部６１，６１が回動支持盤６０に備えた鉛直平坦面一面６０Ａから立ち上がっているので、その鉛直平坦面一面６０Ａ内で中継回動支持突部６１，６１を移動させることによって、中継部材６３を鉛直平坦面一面６０Ａと平行な２次元平面内で上下左右に平行移動又は回転させる配置変更を行うことができる。これにより、操作部材４７Ａの直動軸Ｌ１と中継部材６３の回転軸Ｌ２との相対角度及び／又は相対位置を、外観デザインの変更の前後で略同一にすることができる。
【００７５】
ここで、本実施形態のパチンコ遊技機１０では、中継部材６３及び開閉部材６２に回動支持盤６０の鉛直平坦面一面６０Ａと対向した状態で旋回可能な旋回部６３Ｄと受圧移動部６４Ｃとを設けて、これら旋回部６３Ｄと受圧移動部６４Ｃとの間で力を伝達するように構成した。これにより、中継部材６３が回動支持盤６０の鉛直平坦面一面６０Ａと平行な２次元平面内で僅かに配置変更（平行移動又は回動）しただけであれば、その配置変更の前後で旋回部６３Ｄと受圧移動部６４Ｃの間の力の伝達状態は変わらない。具体的には、例えば、図１８に示すように、外観デザインの変更後も中継部材６３の伝達突部６３Ｅが受圧移動部６４Ｃと鉛直平坦面一面６０Ａとの間に挟まれ、中継部材６３の伝達突部６３Ｅで開閉部材６４の受圧移動部６４Ｃを押圧可能となる。
【００７６】
これに対し、外観デザインの変更の前後で中継部材６３の配置変更が比較的大きい場合には、上記の要領で中継部材６３及び中継回動支持突部６１の配置を決定すると、中継部材６３の旋回部６３Ｄが開閉部材６４の受圧移動部６４Ｃと鉛直平坦面一面６０Ａとの間から外れ、中継部材６３の伝達突部６３Ｅで開閉部材６４の受圧移動部６４Ｃを押圧できなくなる。このように、外観デザインの変更の前後で旋回部６３Ｄと受圧移動部６４Ｃとの間での力の伝達状態が変わった場合には、旋回部６３Ｄと受圧移動部６４Ｃとのうち少なくとも一方の長さ・形状を変更するだけで、中継部材６３の配置変更前の状態と力の伝達状態を同等にすることができる。具体的には、例えば、外観デザインの変更によって操作部材４７Ａが水平方向に大きく移動した場合には、ＣＡＤ上で中継部材２６３と中継回動支持突部２６１を上下左右に平行移動及び／又は回転させて、図１９のように操作部材４７Ａの直動軸Ｌ１，Ｌ２１と中継部材２６３の回転軸Ｌ２，Ｌ２２との相対角度及び相対位置を外観デザインの変更の前後で略同一にする。そして、中継部材２６３のうち開閉部材６４側の上側角部から受圧移動部６４Ｃに向けて押圧アーム２６３Ｇを延設し、その押圧アーム２６３Ｇの先端部を受圧移動部６４Ｃと回動支持盤６０の鉛直平坦面一面６０Ａとの間に配置する。これにより、外観デザインの変更後も押圧アーム２６３Ｇの先端部に突設された伝達突部２６３Ｅで開閉部材６４の受圧移動部６４Ｃを押圧可能となり、外観デザインの変更の前後で中継部材２６３と開閉部材６４との間の力の伝達状態を同等にすることができる。
【００７７】
このように、本実施形態のパチンコ遊技機１０によれば、前面カバー４２Ａのデザイン等の変更にあわせて操作部材４７等の配置が変更されたとしても少なくとも本実施形態のパチンコ遊技機１０の開閉機構４８を利用すれば、前面カバー４２Ａの形状変更にあわせて中継部材６３及び開閉部材６２の配置変更・形状変更を容易に行うことができ、外観デザインの変更等に伴う設計の手間を低減することが可能となる。
【００７８】
また、鉛直平坦面一面６０Ａを備えた回動支持盤６０を下皿扉基板４６と別部品としたので、例えば、図１８又は図１９のよう鉛直平坦面一面６０Ａ内で中継部材６３及び開閉部材６４の設計を行ったら、回動支持盤６０の図面のみを作成して製造すればよい。そして、新規に製造した回動支持盤６０を旧機種の回動支持盤６０に代えて下皿扉基板４６に螺旋止めすればよい。これにより、部品図の作成が容易になると共に、新機種に下皿扉基板４６を流用して金型費用を抑えることができる。
【００７９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８０】
（１）前記実施形態では、パチンコ遊技機１０に本発明を適用していたが、遊技機であれば、弾球遊技機に限らずメダル等を使用するスロットマシンの貯留皿に備えてもよい。
【００８１】
（２）前記実施形態では、貯留槽４３の下面が略水平となっていたが、貯留槽４３の下面を左右方向に傾斜させてもよい。この場合には、鉛直アーム６４Ｅに対する水平アーム６４Ｆの角度を貯留槽４３の下面の傾斜に応じて設定すれば、水平アーム６４Ｆで排出口４３Ａを開閉可能となる。また、排出口４３Ａの配置が、例えば、貯留槽４３の側部側等に変更になった場合には、水平アーム６４Ｆの長さを変更したり、鉛直アーム６４Ｅと水平アーム６４Ｆの角度を変更する等して設計変更することが可能である。
【００８２】
（３）前記実施形態では、貯留槽４３の排出口４３Ａが貯留槽４３の底部に設けられていたが、排出口４３Ａを貯留槽４３のうち開閉ユニット４５側の側部に設けてもよい。この場合には、鉛直アーム６４Ｅで排出口４３Ａを開閉し、水平アーム６４Ｆを省略してもよい。
【００８３】
（４）前記実施形態では、開閉ユニット４５で下皿２７を構成する貯留槽４３の排出口４３Ａを開閉していたが、開閉ユニット４５で上皿２６の排出口を開閉するようにしてもよい。また、開閉ユニット４５で上皿２６と下皿２７とが一体になった貯留部の排出口を開閉するようにしてもよい。
【００８４】
（５）前記実施形態では、貯留槽４３が下皿扉基板４６に取り付けられていたが、貯留槽４３を前面カバー４２Ａに取り付けた構成としてもよい。
【００８５】
（６）前記実施形態では、下皿扉基板４６に貯留槽４３と開閉ユニット４５とを取り付けていたが、下皿扉基板４６を左右方向に２分割して一方の下皿扉基板４６に貯留槽４３を取り付け、他方の下皿扉基板４６に開閉ユニット４５を取り付けた構成としてもよい。
【００８６】
（７）前記実施形態では、機械的操作によって直動シャフト５５を直動させていたが、電気的操作によって直動シャフト５５を直動させる構成としてもよい。具体的には、例えば、前面カバー４２Ａにタッチパネルを設け、このタッチパネルを操作するとモータが作動して直動シャフト５５が直動する構成としてもよい。
【００８７】
（８）前記実施形態では、操作部材４７ＡがＯＦＦ位置にあると開閉部材６４が閉鎖位置にある一方、操作部材４７ＡがＯＮ位置にあると開閉部材６４が開放位置にあるが、これとは逆に、操作部材４７ＡがＯＦＦ位置にあると開閉部材６４が開放位置にある一方、操作部材４７ＡがＯＮ位置にあると開閉部材６４が閉鎖位置にあるようにしてもよい。
【００８８】
（９）前記実施形態では、開閉ユニット４５に中継部材６３を１つだけ設けたが、開閉ユニット４５に複数の中継部材６３を設け、これらの中継部材６３が連動して操作部材４７Ａと開閉部材６４との間で力を伝達するようにしてもよい。
【００８９】
（１０）前記実施形態では、開閉部材６４の受圧移動部６４Ｃが中継部材６３の伝達突部６３Ｅに押されて開閉部材６４が回動していたが、開閉部材６４の受圧移動部６４Ｃが中継部材６３の伝達突部６３Ｅに押されて開閉部材６４が直動するようにしてもよい。具体的には、図２０に示すように、開閉部材３６４の受圧移動部３６４Ｃが中継部材６３の伝達突部６３Ｅに押されると開閉部材３６４が前方に直動して下皿２７の排出口４３Ａを開放又は閉鎖するようにしてもよい。なお、この場合には、開閉部材３６４を図示しない弾性部材により回動支持盤６０側に付勢すればよい。
【００９０】
（１１）前記実施形態では、別部品で構成された中継部材６３と開閉部材６４とが常に当接する構成であったが、例えば、常には、中継部材６３と開閉部材６４との間に間隔が開いており、操作部材４７Ａが押圧されると中継部材６３の伝達突部６３Ｅと開閉部材６４の受圧移動部６４Ｃとが当接し、開閉部材６４が開閉するようにしてもよい。
【００９１】
（１２）前記実施形態では、中継部材６３の旋回部６３Ｄの前方に開閉部材６４の受圧移動部６４Ｃが配置されていたが、開閉部材６４の受圧移動部６４Ｃの前方に中継部材６３の旋回部６３Ｄを配置してもよい。この場合には、操作部材４７Ａが押圧されると中継部材６３の旋回部６３Ｄが回動して開閉部材６４の受圧移動部６４Ｃを前方に引っ張り、これに伴い回動する開閉部材６４が排出口４３Ａを開放又は閉鎖する構成にしてもよい。また、中継部材６３の旋回部６３Ｄと開閉部材６４の受圧移動部６４Ｃとの間を係合し、中継部材６３で開閉部材６４を引っ張るようにしてもよい。
【００９２】
（１３）前記実施形態では、中継部材６３の回動軸Ｌ２或いはその軸線の延長線と開閉部材６４の回動軸Ｌ３（図１７参照）或いはその軸線の延長線とが鉛直平坦面一面６０Ａと平行な１つの仮想平面上で交差する構成となっていたが、中継部材６３の回動軸Ｌ２と開閉部材６４の回動軸Ｌ３とが立体交差する構成としてもよい。即ち、鉛直平坦面一面６０Ａと平行かつ互いに異なる２つの仮想面があって、そのうちの一方の仮想面上に中継部材６３の回動軸Ｌ２が配置され、他方の仮想面上に開閉部材の６４の回動軸Ｌ３が配置された構成としてもよい。
【図面の簡単な説明】
【００９３】
【図１】本発明の第１実施形態に係るパチンコ遊技機の分解斜視図
【図２】パチンコ遊技機の正面図
【図３】下皿扉の分解斜視図
【図４】下皿扉の平面図
【図５】下面カバーの下面の平面図
【図６】上面カバーのうち操作ユニット取り付け部の部分拡大図
【図７】操作ユニットの分解側面図
【図８】操作ユニットの側面図
【図９】操作ユニットの側面図
【図１０】操作ユニットの側面図
【図１１】操作ユニットの側面図
【図１２】操作ユニットの側面図
【図１３】開閉ユニットの斜視図
【図１４】下皿扉の概略側断面図
【図１５】下皿扉の概略側断面図
【図１６】下皿扉の平面図
【図１７】開閉ユニットの部分正面図
【図１８】開閉ユニットの部分正面図
【図１９】開閉ユニットの部分正面図
【図２０】他の実施形態の開閉ユニットの斜視図
【符号の説明】
【００９４】
４２Ａ    前面カバー
４３    貯留槽
４３Ａ    排出口
４４Ｃ    ベース壁
４６    下皿扉ベース（ベース壁の本体部分）
４７Ａ    操作部材
４７Ｂ    交互保持機構
４７Ｃ    保持ケース
６０    回動支持盤
６０Ａ    鉛直平坦面一面
６１    中継回動支持突部（第１回動支持突部）
６２    開閉回動支持突部（第２回動支持突部）
６３    中継部材
６３Ａ    操作力受部
６３Ｄ    旋回部
６４    開閉部材
６４Ｂ    シャッタ部
６４Ｃ    受圧移動部
６５    圧縮コイルバネ（弾性部材）
Ｒ２    機構部収容空間
【図１】
2007229185.tif 000003
【図２】
2007229185.tif 000004
【図３】
2007229185.tif 000005
【図４】
2007229185.tif 000006
【図５】
2007229185.tif 000007
【図６】
2007229185.tif 000008
【図７】
2007229185.tif 000009
【図８】
2007229185.tif 000010
【図９】
2007229185.tif 000011
【図１０】
2007229185.tif 000012
【図１１】
2007229185.tif 000013
【図１２】
2007229185.tif 000014
【図１３】
2007229185.tif 000015
【図１４】
2007229185.tif 000016
【図１５】
2007229185.tif 000017
【図１６】
2007229185.tif 000018
【図１７】
2007229185.tif 000019
【図１８】
2007229185.tif 000020
【図１９】
2007229185.tif 000021
【図２０】
2007229185.tif 000022